(57)【特許請求の範囲】
【請求項１】
建物の外壁面から突き出されている浴室用出窓で、正面に透光性の出窓サッシを備え、この出窓サッシの両側面壁が、内装用壁部材と外装用壁部材で二重に且つ不透明に形成され、この内装用壁部材と外装用壁部材が夫々断熱材を備えて形成され、また内装用壁部材と外装用壁部材の間に、空気層が形成され、内装用壁部材は、平行一対の板材の間に断熱材を板材に密着させて一体状に備えて形成され、板材の内側はＳＭＣのＦＲＰ板で形成され、外側はアルミ板で形成されていると共に、外装用壁部材は、屋外に面する化粧用板材の内面に断熱材が貼り付けられて形成されており、上記の断熱材は、内装用壁部材、外装用壁部材とも、上記の板材、化粧用板材のほぼ全面にわたって均一に設けられ、また上記の内装用壁部材には、裏側の両側辺部に角筒状の金具が縦方向に沿って溝状の隙間をあけて設けられ、内装用壁部材を出窓サッシの枠に連結するための連結板を備え、この連結板は、一方の側部を出窓サッシの枠に固定し、他方の側部に形成された屈曲状の縦片を溝状の隙間に係合させて内装用壁部材を出窓サッシの枠に連結し、また内装用壁部材と浴室の壁パネルとを連結するための連結用金具を備え、この連結用金具は、左右一対備えて形成された屈曲状の縦片のうち一方を溝状の隙間に係合させ、他方を浴室の壁パネルに係合させて内装用壁部材を浴室の壁パネルに連結していることを特徴とする浴室出窓。
【請求項２】
請求項１記載の浴室出窓であって、出窓サッシの下枠の下側に腰壁を備え、この腰壁が内装用壁部材と外装用壁部材で二重に且つ不透明に形成され、この内装用壁部材と外装用壁部材が夫々断熱材を備えて形成されていると共に、内装用壁部材と外装用壁部材の間に空気層が形成されていることを特徴とする浴室出窓。
【請求項３】
請求項１又は２記載の浴室出窓であって、隣り合う空気層同士が互いに連通されると共に、建物の床下と天井裏に空気層が連通されていることを特徴とする浴室出窓。
【発明の詳細な説明】
【技術分野】
【０００１】
本発明は、浴室出窓に関し、更に詳しくは入浴性が向上するよう形成した浴室出窓に関するものである。
【背景技術】
【０００２】
従来この種の出窓としては、開放感を高めたり、採光性を良くするため、側部の壁面を透明板で形成しているものがある（例えば特許文献１参照）。
また従来品によっては、側壁に止まらず、採光性が一層良くなるよう、天井もガラス等で形成しているものがある。
【０００３】
ところで、採光性を高めるため、出窓の両側壁や天井をガラス板等で形成すると、正面を含めて、４方向の面がガラス張りになる。しかしガラス板や窓サッシのアルミ枠材等は熱伝導性が良いため、外気温の低い冬季や、寒冷地などでは、浴室の温度の低下を招き易い。また採光性を重視すると、特に浴室の場合は、外からの視線が気になり、快適に入浴できない、という問題が生じる。
従って出窓は、外気温の影響で室温が例えば低下することがないよう、断熱性が良好に形成されると共に、外からの視線による悪影響を低減できるよう、形成されているのが望ましい。
しかるに従来は、上記のように、正面だけではなく、両側壁や天井もガラス板等の透光性材料で形成されていることが多かった。従って従来品によると、外気温の影響を受け易く、冬季は室温が低下し、夏季は室温が上昇し易く、また浴室の場合は外からの視線で落ちついて入浴できない、という問題点があった。
【特許文献１】特開２００２−１８８３０５号公報
【発明の開示】
【発明が解決しようとする課題】
【０００４】
本発明は、このような従来の実情に鑑み、提案されたものである。
従って本発明の解決しようとする技術的課題は、外気温によって室内温度が低下したり上昇することを防止でき、外からの視線で被る不利益を低減でき、入浴性を向上できるよう形成した浴室出窓を提供することにある。
【課題を解決するための手段】
【０００５】
本発明は、上記の課題を解決するため、次のような技術的手段を採る。
即ち本発明は、図１等に示されるように、建物の外壁面１から突き出されている浴室用出窓で、正面に透光性の出窓サッシを備え、この出窓サッシの両側面壁２が、内装用壁部材４と外装用壁部材５で二重に且つ不透明に形成され、この内装用壁部材４と外装用壁部材５が夫々断熱材６を備えて形成され、また内装用壁部材４と外装用壁部材５の間に、空気層１３が形成され、内装用壁部材４は、平行一対の板材４ａの間に断熱材６を板材４ａに密着させて一体状に備えて形成され、板材４ａの内側はＳＭＣのＦＲＰ板で形成され、外側はアルミ板で形成されていると共に、外装用壁部材５は、屋外に面する化粧用板材５ａの内面に断熱材６が貼り付けられて形成されており、上記の断熱材６は、内装用壁部材４、外装用壁部材５とも、上記の板材４ａ、化粧用板材５ａのほぼ全面にわたって均一に設けられ、また上記の内装用壁部材４には、裏側の両側辺部に角筒状の金具７が縦方向に沿って溝状の隙間Ｓをあけて設けられ、内装用壁部材４を出窓サッシの枠９に連結するための連結板８を備え、この連結板８は、一方の側部を出窓サッシの枠９に固定し、他方の側部に形成された屈曲状の縦片８ｂを溝状の隙間Ｓに係合させて内装用壁部材４を出窓サッシの枠９に連結し、また内装用壁部材４と浴室の壁パネル１２とを連結するための連結用金具１１を備え、この連結用金具１１は、左右一対備えて形成された屈曲状の縦片１１ｂのうち一方を溝状の隙間Ｓに係合させ、他方を浴室の壁パネル１２に係合させて内装用壁部材４を浴室の壁パネル１２に連結していることを特徴とする（請求項１）。
【０００６】
本発明の場合、断熱材６としては、例えば発泡スチロールや発泡ウレタン等の発泡性の樹脂材、或いはロックウールやフェルト等がある。断熱材６は、これらが単体、又は種類の異なるものが重合されることにより形成され、通常、内装用壁部材４、外装用壁部材５とも、その全面にわたって均一に設けられる。
【０００７】
而して本発明は、図８、図９に示されるように、出窓サッシの下枠９ａの下側に腰壁２４を備え、この腰壁２４が内装用壁部材４と外装用壁部材５で二重に且つ不透明に形成され、この内装用壁部材４と外装用壁部材５が夫々断熱材６を備えて形成されていると共に内装用壁部材４と外装用壁部材５の間に空気層１３が形成されているのでも良い（請求項２）。
この場合は、窓２３の周りの両側面壁２と腰壁２４とが二重構造になるから、断熱性が一層良い本発明品を提供できる。ここで、腰壁２４とは、腰の高さ程度に形成される壁を意味し、通常は、出窓パネル２１と出窓サッシの下枠９ａとの間に実現されるが、床と下枠９ａとの間に実現されるのでも良い。
【０００８】
また本発明の場合は、隣り合う空気層１３同士が互いに連通されると共に、建物の床下１８（図６参照）と天井裏１９に空気層１３が連通されているのが好ましい（請求項３）。
なぜならこれによると、側面壁２や天井３の空気層１３を介して建物の床下１８から天井裏１９にかけて通気でき、壁内の結露を防止でき、カビの発生を防止できるからである。
【発明の効果】
【０００９】
本発明の浴室出窓は、このように形成されているから、内装用壁部材と外装用壁部材によって外気温の影響を二段構えで抑えることができる。
従ってこれによれば、冬季は室内の温度の低下を防止でき、夏季は外気温によって室温が上がることを防止できる。
また本発明の場合は、浴室用出窓サッシの両側面壁が、不透明に形成されているから、これによれば、外からの視線で被る不利益を低減できる。
また本発明は、内装用壁部材と外装用壁部材の間に、空気層が形成されているから、これによると、この空気層によって断熱性、通気性が更に良くなる。
また本発明は、内装用壁部材が、平行一対の板材の間に断熱材を板材に密着させて一体状に備えて形成されている。
従って本発明によると、内装用壁部材がパネル化しているため、浴室の壁パネルと一連の状態で浴室出窓の内壁を形成し易くなる。
【００１０】
また本発明の場合、外装用壁部材は、屋外に面する化粧用板材の内面に断熱材が貼り付けられて形成されている。
従ってこれによると、外装用壁部材が必要最低限の構造のため、その軽量化やコストの低廉化を図ることができる。
【発明を実施するための最良の形態】
【００１１】
以下、本発明を実施するための最良の形態を説明する。
図１等において、１は建物の外壁面であり、２はこの外壁面１から突き出されている両側面壁、３は天井である。両側面壁２の全面と天井３は、内装用壁部材４と外装用壁部材５で二重に且つ不透明に形成されている。
【００１２】
上記の内装用壁部材４は、平行一対の板材４ａの間に、断熱材６としての発泡スチロールの平板を板材４ａに密着させて一体状に備えて形成されている。板材４ａの内、内側はＦＲＰ板（ＳＭＣ）で形成され、外側はアルミ板で形成されている。また外装用壁部材５は、屋外に面する化粧用板材５ａの内面に、断熱材６としての発泡スチロールの平板が貼り付けられて形成されている。この場合、断熱材６は、内装用壁部材４、外装用壁部材５とも、断熱性にむらが生じないよう、板材４ａ、化粧用板材５ａのほぼ全面にわたって均一に設けられている。
【００１３】
また内装用壁部材４は、裏側の両側辺部に、角筒状の金具７が縦方向に沿って設けられている。８（図１、図３、図４参照）は、内装用壁部材４を出窓サッシの枠９に連結するための金属製の連結板である。この連結板８は、一方の側部がネジ１０で出窓サッシの枠９に固定され、他方の側部に、ジョイントビス状の嵌合部８ａが設けられている。
【００１４】
また１１（図１、図３、図５参照）は、内装用壁部材４と壁パネル１２とを連結するための連結用金具である。この連結用金具１１は、ほぼ軽みぞ形鋼状に形成されると共に、その内面に、ジョイントビス状の嵌合部１１ａを左右一対備えて形成されている。上記の角筒状の金具７は、上記の嵌合部８ａ、１１ａの首部と係合して嵌合部８ａ、１１ａを縦方向に案内するスリット７ａを備え、連結板８の屈曲状の縦片８ｂと、連結用金具１１の屈曲状の縦片１１ｂを係合させる溝状の隙間Ｓ（図４、図５参照）をあけて内装用壁部材４の両側辺部に設けられている。またこの角筒状の金具７は、スリット７ａが形成された面の板厚が、嵌合部８ａ、１１ａの首部の長さと同一に選定され、嵌合部８ａ、１１ａを挿通させる透孔７ｂを適宜位置に備えて形成されている。透孔７ｂは、角筒状の金具７のスリット７ａが形成された面に、その中心をスリット７ａの中心位置に合わせてスリット７ａと連通状に形成されている。
【００１５】
上記の壁パネル１２は、内装用壁部材４と同様、裏側の側辺部に、上記した角筒状の金具７が縦方向に延びて設けられている。連結用金具１１は、壁パネル１２の角筒状の金具７と、内装用壁部材４の角筒状の金具７に嵌合され、壁パネル１２と内装用壁部材４は室内側の壁面を面一にして連結されている。
【００１６】
また側面壁２と天井３は、内装用壁部材４と外装用壁部材５が所定の間隔あけられ、空気層１３を備えて形成されている。１４は、建築躯体としての柱である。外装用壁部材５は、図３に示されるように、張り出された側の端部が出窓サッシの枠９にネジ１５で固定され、建物の外壁面１に近い側の端部は、建築躯体１４にネジ１６で固定される。なお１７は、コーキング材である。
【００１７】
またこの実施形態に係る本発明は、側面壁２と天井３の各空気層１３が連通され、更に側面壁２の空気層１３は床下１８（図６参照）と、また天井３の空気層１３は浴室の天井裏１９と連通されている。従ってこの本発明によれば、図６に矢示されるように、床下１８から浴室の天井裏１９にかけて側面壁２と天井３の各空気層１３を介して通気できる。なお同図において、２０は洗い場用の床パンであり、２１は窓２３の下部を構成する出窓パネル、２２は出窓パネル２１の外側を覆う断熱用のグラスウールである。
【００１８】
次に本発明品の施工の一例を説明する。
作業者は、出窓サッシの枠９と、外装用壁部材５の張り出し側の端部をネジ止めし、両側面壁２及び天井３の外側を形成してから（図２参照）、建築躯体１４に外装用壁部材５の他方の端部をネジ止めする。そして作業者は、内装用壁部材４の一方の端部に、連結板８を嵌合させて取り付け、この連結板８を出窓サッシの枠９にネジ１０で固定する。また内装用壁部材４の他方の端部と壁パネル１２とを、夫々の側辺部の角筒状の金具７に連結用金具１１を嵌合して連結する。これにより浴室の出窓が、図７に示されるように完成する。
【００１９】
以上の処において、上記の内装用壁部材４は、平行一対の板材４ａの間で発泡材を発泡させることにより、断熱材６が板材４ａと一体状に形成されるのでも良い。また外装用壁部材５は、断熱材６が化粧用板材５ａの内面に吹き付けられて形成されるのでも良い。
【００２０】
また本発明は、図８、図９に示されるように、出窓サッシの下枠９ａの下側に腰壁２４を備え、この腰壁２４が内装用壁部材４と外装用壁部材５で二重に且つ不透明に形成され、この内装用壁部材４と外装用壁部材５が夫々断熱材６を備えて形成されているのでも良い。この実施形態の場合、内装用壁部材４と外装用壁部材５は、上例と同様に形成され、又両者の間には空気層１３が形成されている。腰壁２４の空気層１３は、隣り合う側面壁２の空気層１３に連通され、側面壁２の空気層１３を介して天井３の空気層１３と連通されている。腰壁２４を形成する内装用壁部材４の上部は、連結枠２５（図９参照）を介して出窓サッシの下枠９ａに固定されている。連結枠２５は、浴室の内側に張り出されると共に、下枠９ａに沿って左右方向に延びて形成されている。また内装用壁部材４の下端は、出窓パネル２１の奥側の上面に、支持部材２６を介して固定されている。
なお２７（図８参照）は、腰壁２４に取り付けられているテレビジョン受像機である。また２８は浴槽、２９（図９参照）は出窓パネル２１と浴槽２８との隙間を塞ぐ封止材、３０はコーキング材１７をバックアップするためのバックアップ材である。内装用壁部材４や外装用壁部材５が、出窓サッシの下枠９ａ等と接続される箇所には、コーキング材１７が適宜施され、防水処理される。
【００２１】
また本発明は、図１０に示されるように、内装用壁部材４と外装用壁部材５の断熱材６が発泡スチロール等の発泡性の樹脂材で形成される場合は、断熱材６の密度（発泡率）を違えて側面壁２や天井３等が形成されているのでも良い。同図に示される実施形態の場合は、外装用壁部材５の断熱材６が高密度に、内装用壁部材４の断熱材６が低密度に形成されている。この本発明の場合は、外装用壁部材５の強度が高くなり、内装用壁部材４は断熱材６が低密度のため軽くなる。従ってこれによると、屋外から加わる力に対しての耐衝撃性が高くなり、また内装用壁部材４が低密度で軽い分、施工が容易になり、保温性や断熱性に優れた本発明品を提供できる。
【００２２】
更に本発明は、図１１に示されるように、内装用壁部材４と外装用壁部材５との間の空気層１３の適宜位置に、スペーサー３１が設けられるのでも良い。これによると、スペーサー３１によって壁厚を安定した状態に維持でき、壁の強度を向上できるからである。この場合、スペーサー３１を発泡スチロール等の断熱材料で形成すると、軽量で、且つ一層断熱性の良い本発明品を提供できる。
【図面の簡単な説明】
【００２３】
【図１】本発明の浴室出窓の好適な一実施形態を示す一部を切欠した要部斜視図である。
【図２】同上浴室出窓の一部を切欠した施工途中の要部斜視図である。
【図３】同上浴室出窓の要部断面図である。
【図４】内装用壁部材と連結板との連結構造を示す要部斜視図である。
【図５】内装用壁部材と壁パネルとの連結構造を示す要部斜視図である。
【図６】同上浴室出窓の要部縦断面図である。
【図７】同上浴室出窓の要部斜視図である。
【図８】同上浴室出窓の他の実施形態を示す要部斜視図である。
【図９】図８に示す本発明品の要部縦断面図である。
【図１０】同上浴室出窓の他の実施形態を示す要部断面図である。
【図１１】同上浴室出窓の更に他の実施形態を示す要部断面図である。
【符号の説明】
【００２４】
１      建物の外壁面
２      側面壁
３      天井
４      内装用壁部材
４ａ    板材
５      外装用壁部材
５ａ    化粧用板材
６      断熱材
１３    空気層
Ｓ 溝状の隙間
【図１】
0005396611.tif 000002
【図２】
0005396611.tif 000003
【図３】
0005396611.tif 000004
【図４】
0005396611.tif 000005
【図５】
0005396611.tif 000006
【図６】
0005396611.tif 000007
【図７】
0005396611.tif 000008
【図８】
0005396611.tif 000009
【図９】
0005396611.tif 000010
【図１０】
0005396611.tif 000011
【図１１】
0005396611.tif 000012